(57)【要約】【課題】外力からの保護を高め、制御盤面のデザイン性を向上させつつ、電子部品と取付パネルの間に異物や粉塵などが入るのを防止する。【解決手段】ベゼル３が押し釦スイッチ１の押し釦部１１の外縁と当接するように上記押し釦部１１を挿通孔３４に挿入し、この状態で押し釦スイッチ１を取付パネル２の取付孔２０に挿入する。このとき、押し釦スイッチ１の後方からベゼル固定具４を取り付けて、さらにベゼル固定具４が押し釦スイッチ１と螺合することによって、ベゼル３の鍔部３３とベゼル固定具４の側面部４１とで取付パネル２における取付孔２０の周縁部を挟持し、一端面１５を取付パネル２の後方側に配置させて押し釦スイッチ１を取付パネル２に取り付ける。このとき、ベゼル３の係止爪３６が頭部１３の一端面１５に係止しており、ベゼル３が取付パネル２より安易に外れることを防止する。【選択図】図１
2008186867.tif 000002
【特許請求の範囲】
【請求項１】
外周面にねじ溝が形成された胴部と当該胴部と一端面で接合して設けられた頭部とを有する本体と、前記頭部の他端面から突出する突出部とを備える電子部品を、鍔部を有し内部に空洞部が形成されたベゼルと、前記電子部品のねじ溝と螺合するねじ溝が形成された固定手段とで取付パネルに取り付ける電子部品の取付構造であって、
前記ベゼルが、前記突出部の側面と当接する挿通孔が形成された基部と、先端に向かうにつれて外側に傾斜する傾斜面を有する係止爪を形成し前記基部から突設され弾性を有する係止保持部とを備え、前記突出部を前記挿通孔に当接させて前記頭部を前記空洞部に収納し、前記係止爪が前記頭部の一端面に係止して前記電子部品を前記取付パネルの取付孔に一方から挿入し、前記固定手段が他方で前記電子部品と螺合することによって、前記ベゼルの前記鍔部と前記固定手段とで前記取付パネルにおける前記取付孔の周縁部を挟持し、前記頭部の一端面を前記取付パネルの他方側に配置させて前記電子部品を前記取付パネルに取り付けることを特徴とする電子部品の取付構造。
【請求項２】
前記係止保持部が、先端側に形成された切欠きによって弾性を有することを特徴とする請求項１記載の電子部品の取付構造。
【請求項３】
前記電子部品が、前記突出部を前記頭部の他端面に出没自在に突出する押し釦部として備える押し釦スイッチであることを特徴とする請求項１又は２記載の電子部品の取付構造。
【発明の詳細な説明】
【技術分野】
【０００１】
本発明は、電子部品の取付構造に関するものである。
【背景技術】
【０００２】
一般的な押し釦スイッチ１として、図２に示すように、胴部１２とこの胴部１２と一端面１５で接合して設けられた頭部１３とを有する本体１０と、上記頭部１３の他端面から突出する押し釦部（突出部）１１とを備えるものがある。胴部１２は後方（図２の右方）から見て断面が円状に形成され、外周面にねじ溝１４が設けられている。頭部１３は前方（図２の左方）から見て断面が円状に形成されている。また、前方から見たときに、頭部１３の直径は胴部１２より長くして設けられている。一方、押し釦部１１は頭部１３の周縁より内側にあり、図２の左右方向に出没自在に突出する。
【０００３】
従来、このような押し釦スイッチ１を取付パネル２に取り付ける構造として、図２に示すように、押し釦部１１が取付パネル２から前方（図２の左方）に突出した構造（第１従来例の電子部品の取付構造）がある。この第１従来例の電子部品の取付構造では、押し釦スイッチ１の本体１０を前方側から取付パネル２に挿入し、さらに、取付パネル２の後方側（図２の右方側）で、ねじ溝が形成されたロックナット６の貫通孔（図示せず）に挿入して、ロックナット６と螺合させることによって、押し釦スイッチ１を取付パネル２に固定する。なお、第１従来例の電子部品の取付構造と同様の取付構造が特許文献１に開示されている。
【０００４】
ところが、第１従来例の電子部品の取付構造には、押し釦部１１が前方に突出していることから、外力によって押し釦部１１の破損や誤動作などが生じるという問題があった。
【０００５】
上記問題を解決するものとして、図３に示すような第２従来例の電子部品の取付構造がある。第２従来例の電子部品の取付構造では、図３（ｂ）に示すように、押し釦スイッチ１の本体１０をベゼル５の前方側（図３（ｂ）の左方側）から挿入し、取付パネル２の取付孔２０に挿入して取り付けて、取付パネル２の後方側でベゼル固定具７に挿入し、さらに、ねじ溝が形成されたロックナット６の貫通孔（図示せず）に挿入して、ロックナット６と螺合させることによって、押し釦スイッチ１を取付パネル２に固定する。これにより、押し釦スイッチ１の押し釦部１１が取付パネル２の前面から突出することを低減することができる（図３（ａ）参照）。よって、外力による押し釦部１１の操作部の破損や誤動作などを防止することができるとともに、押し釦スイッチ１の前面が取付パネル２に対して略フラットになることで制御盤面のデザイン性を向上させることができる。
【特許文献１】特開平６−２４３７５０号公報（段落００１２〜００１５及び図１）
【発明の開示】
【発明が解決しようとする課題】
【０００６】
しかしながら、上記第２従来例の電子部品の取付構造には、図３（ａ）に示すように、押し釦部１１とベゼル５との間に隙間Ａが生じ、その結果、見栄えが悪く、かつ隙間Ａに異物や粉塵などが入りやすくなるという問題があった。
【０００７】
本発明は上記の点に鑑みて為されたものであり、その目的とするところは、外力からの保護を高め、制御盤面のデザイン性を向上させつつ、電子部品と取付パネルとの間に異物や粉塵などが入るのを防止することができる電子部品の取付構造を提供することにある。
【課題を解決するための手段】
【０００８】
請求項１の発明は、外周面にねじ溝が形成された胴部と当該胴部と一端面で接合して設けられた頭部とを有する本体と、前記頭部の他端面から突出する突出部とを備える電子部品を、鍔部を有し内部に空洞部が形成されたベゼルと、前記電子部品のねじ溝と螺合するねじ溝が形成された固定手段とで取付パネルに取り付ける電子部品の取付構造であって、前記ベゼルが、前記突出部の側面と当接する挿通孔が形成された基部と、先端に向かうにつれて外側に傾斜する傾斜面を有する係止爪を形成し前記基部から突設され弾性を有する係止保持部とを備え、前記突出部を前記挿通孔に当接させて前記頭部を前記空洞部に収納し、前記係止爪が前記頭部の一端面に係止して前記電子部品を前記取付パネルの取付孔に一方から挿入し、前記固定手段が他方で前記電子部品と螺合することによって、前記ベゼルの前記鍔部と前記固定手段とで前記取付パネルにおける前記取付孔の周縁部を挟持し、前記頭部の一端面を前記取付パネルの他方側に配置させて前記電子部品を前記取付パネルに取り付けることを特徴とする。
【０００９】
請求項２の発明は、請求項１の発明において、前記係止保持部が、先端側に形成された切欠きによって弾性を有することを特徴とする。
【００１０】
請求項３の発明は、請求項１又は２の発明において、前記電子部品が、前記突出部を前記頭部の他端面に出没自在に突出する押し釦部として備える押し釦スイッチであることを特徴とする。
【発明の効果】
【００１１】
請求項１の発明によれば、ベゼルの後方に電子部品の前方を押し付けて挿入することによって、電子部品の突出部がベゼルの挿通孔を貫通するとともに、電子部品の頭部を係止保持部の係止爪で保持することができるとともに、取付パネルに取り付けられた電子部品の突出部とベゼルの挿通孔との間の隙間をなくすことができるので、外力による突出部の破損や誤動作などを防止し、制御盤面のデザイン性を向上させつつ、電子部品と取付パネルの間に異物や粉塵などが入るのを防止することができる。
【００１２】
請求項２の発明によれば、弾性の少ない樹脂などで形成されたベゼルであっても、切欠きを設けることによって係止保持部に容易に弾性を付与することができる。
【００１３】
請求項３の発明によれば、押し釦部の前面が取付パネルに対して略フラットになることで制御盤面のデザイン性を向上させながら、押し釦部の周囲に異物や粉塵などが入るのを防止することができる押し釦スイッチを提供することができる。
【発明を実施するための最良の形態】
【００１４】
本発明の実施形態に係る電子部品の取付構造について図１を用いて説明する。本実施形態の電子部品は押し釦スイッチ１であり、図１（ｃ）に示すように、胴部１２とこの胴部１２と一端面１５で接合して設けられた頭部１３とを有する本体１０と、上記頭部１３の他端面から突出する押し釦部（突出部）１１とを備えている。胴部１２は後方（図１（ｃ）の右方）から見て断面が円状に形成され、外周面にねじ溝１４が設けられている。頭部１３は前方（図１（ｃ）の左方）から見て断面が円状に形成されている。また、前方から見たときに、頭部１３の直径は胴部１２より長くして設けられている。一方、押し釦部１１は頭部１３の周縁より内側にあり（図１（ａ）参照）、図１（ｃ）の左右方向に出没自在に突出する。また、押し釦部１１には、図１（ｂ）に示すように、スイッチの種類やスイッチのオンオフを表示するための表示部１１０が設けられている。
【００１５】
上記押し釦スイッチ１が取り付けられる取付パネル２には、図１（ｃ）に示すように、取付孔２０が形成されている。この取付孔２０は、後述のベゼル３が押し釦スイッチ１とともに挿入されたときに、内面がベゼル３の係止保持部３１の外面と当接することができる大きさである。通常、取付孔２０の直径はベゼル３の係止保持部３１の外径に等しい。
【００１６】
また、押し釦スイッチ１が取付パネル２に取り付けられる際には、ベゼル３とベゼル固定具（固定手段）４が用いられる。ベゼル固定具４は、円板状の底面部４０と、底面部４０の外周縁から前方（図１（ｃ）の左方）に向かって突出して設けられた筒状の側面部４１とを一体に備えている。底面部４０の中央には貫通孔４２が形成され、この貫通孔４２の内面にはねじ溝４３が設けられている。貫通孔４２は胴部１２を挿入可能とする大きさであり、ねじ溝４３はねじ溝１４と螺合する。側面部４１の内径はベゼル３の外径と等しくしてある。
【００１７】
ベゼル３は例えばポリアセタールなどで形成されたものであり、前方（図１（ｃ）の左方）から見て円板状の基部３０と、基部３０から後方に向かって突出して設けられた筒状の係止保持部３１とを一体に備え、内部に空洞部３２が形成されている。
【００１８】
基部３０の外周縁には、後方側が前方側より外側に傾斜している鍔部３３が形成されている。また、基部３０の中央には空洞部３２とつながる挿通孔３４が形成されている。この挿通孔３４は押し釦スイッチ１の押し釦部１１の側面と当接することを可能とする大きさである。通常、挿通孔３４の直径は押し釦部１１の外径に等しい。空洞部３２は押し釦スイッチ１の頭部１３の側面と当接することを可能とする大きさである。通常、空洞部３２の直径は頭部１３の外径に等しい。
【００１９】
一方、係止保持部３１は、後方に開口して形成された複数の切欠き３５，３５によって弾性を有する。また、係止保持部３１の先端には係止爪３６が設けられている。この係止爪３６は先端に向かうにつれて外側に傾斜する傾斜面３６０を有し、押し釦スイッチ１の頭部１３に係止する。
【００２０】
次に、押し釦スイッチ１の取付パネル２への取付について図１を用いて説明する。図１（ｃ）に示すベゼル３が押し釦スイッチ１の押し釦部１１の側面と当接するように上記押し釦部１１を挿通孔３４に挿入し、頭部１３を空洞部３２に収納した状態で、上記押し釦スイッチ１を取付パネル２の取付孔２０に挿入する。このとき、押し釦スイッチ１の胴部１２の後方（図１（ｃ）の右方）からベゼル固定具４を取り付けて、このベゼル固定具４が押し釦スイッチ１の本体１０と螺合することによって、ベゼル３の鍔部３３の後方面３３０とベゼル固定具４の側面部４１の前端部４１０とで取付パネル２における取付孔２０の周縁部を挟持し、頭部１３の一端面１５を取付パネル２の後方側に配置させて押し釦スイッチ１を取付パネル２に取り付ける（図１（ａ）参照）。このとき、ベゼル３の係止爪３６が頭部１３の一端面１５に係止しており、ベゼル３が取付パネル２より安易に外れてしまわない構造となっている。
【００２１】
以上、本実施形態によれば、ベゼル３の後方に押し釦スイッチ１の前方を押し付けて挿入することによって、押し釦スイッチ１の押し釦部１１がベゼル３の挿通孔３４を貫通するとともに、押し釦スイッチ１の頭部１３を係止保持部３１の係止爪３６で保持することができるとともに、取付パネル２に取り付けられた押し釦スイッチ１の押し釦部１１とベゼル３の挿通孔３４との間の隙間をなくすことができるので、外力による押し釦部１１の破損や誤動作などを防止し、制御盤面のデザイン性を向上させつつ、押し釦スイッチ１と取付パネル２の間に異物や粉塵などが入るのを防止することができる。つまり、押し釦部１１の前面が取付パネル２に対して略フラットになることで制御盤面のデザイン性を向上させながら、押し釦部１１の周囲に異物や粉塵などが入るのを防止することができる押し釦スイッチ１を提供することができる。
【００２２】
また、弾性の少ない樹脂などで形成されたベゼル３であっても、切欠き３５，３５を設けることによって係止保持部３１に容易に弾性を付与することができる。
【００２３】
さらに、既存の押し釦スイッチ１を本実施形態のようなフラットタイプ取付へ流用可能となり、用途に応じて取付バージョンをユーザサイドで選択することができる。
【００２４】
なお、本実施形態の変形例として、押し釦スイッチ１は、断面円状の押し釦部１１や頭部１３に代えて断面が多角形状の押し釦部や頭部を備えてもよい。このようなものであっても、ベゼル３の挿通孔３４や空洞部３２の形状を上記押し釦部の外縁や頭部の外縁と当接するような形状とすれば、本実施形態と同様の効果を奏する。
【００２５】
また、本実施形態の他の変形例として、貫通孔４２にねじ溝４３が形成されたベゼル固定具４に代えて、貫通孔にねじ溝が形成されていないベゼル固定具と、貫通孔にねじ溝が形成されたロックナットとを固定手段として備えてもよい。このように、固定手段は１つの部品であることに限定されず、複数の部品であってもよい。
【００２６】
さらに、本実施形態の他の変形例として、押し釦スイッチ１に限定されるものではなく、上記押し釦スイッチ１と同様の形状を有する他の電子部品（例えばパイロットライト等）であってもよい。
【図面の簡単な説明】
【００２７】
【図１】本発明の実施形態に係る電子部品の取付構造を示し、（ａ）が一部断面図、（ｂ）が前面図、（ｃ）が分解図である。
【図２】第１従来例の電子部品の取付構造を示す一部断面図である。
【図３】第２従来例の電子部品の取付構造を示し、（ａ）が一部断面図、（ｂ）が分解図である。
【符号の説明】
【００２８】
１  押し釦スイッチ（電子部品）
１１  押し釦部（突出部）
１３  頭部
１５  一端面
２  取付パネル
２０  取付孔
３  ベゼル
３３  鍔部
３４  挿通孔
３６  係止爪
４  ベゼル固定具（固定手段）
４１  側面部
【図１】
2008186867.tif 000003
【図２】
2008186867.tif 000004
【図３】
2008186867.tif 000005